(57)【特許請求の範囲】
【請求項１】
開位置と閉位置との間で旋回可能なカバー（１０２）と流体制御弁とを含むリザーバ・ハウジング（１２）と、歯石除去導管を含む歯石除去器ハウジング（１４）と、を有する流体ディスペンサであって、
該リザーバ・ハウジング（１２）は、少なくとも一つの容易に取り外し可能な容器（４２，４４）を支持し、
該取り外し可能な容器（４２，４４）は、キャップコネクタ（４２Ａ，４４Ａ）を備えるキャップ（４１，４３）を有し、
該リザーバ・ハウジング（１２）は、該キャップコネクタ（４２Ａ，４４Ａ）に接続されているハウジング・コネクタを有し、
該カバー（１０２）が該開位置にあるとき該流体制御弁は該カバー（１０２）により閉じられ、該カバー（１０２）が該閉位置にあるとき該流体制御弁は該カバー（１０２）により開かれ、
該閉位置にある該カバー（１０２）は、該キャップ（４１、４３）が動いて該キャップコネクタ（４２Ａ，４４Ａ）が該ハウジング・コネクタから外れることを防ぎ、
該リザーバ・ハウジング（１２）は、該歯石除去器ハウジング（１４）の上に積み重ねられている
ことを特徴とする流体ディスペンサ。
【請求項２】
ガス抜き分配弁をさらに備える請求項１に記載のディスペンサ。
【請求項３】
前記ガス抜き分配弁は、ガス抜き分配セレクタ弁である請求項２に記載のディスペンサ。
【請求項４】
前記リザーバ・ハウジングが、足部によって支持されている請求項１乃至３のいずれか１項に記載のディスペンサ。
【請求項５】
前記ディスペンサが、少なくとも３５ｐｓｉの圧力の空気圧源に接続されている請求項１乃至４のいずれか１項に記載のディスペンサ。
【請求項６】
前記リザーバ・ハウジングが、導管によって前記歯石除去器導管に接続されている請求項１乃至５のいずれか１項に記載のディスペンサ。
【請求項７】
前記ディスペンサが、少なくとも２つの容易に取り外せる容器を備えている請求項１乃至６のいずれか１項に記載のディスペンサ。
【発明の詳細な説明】
本発明は、歯科用歯石除去システムに関する。本発明は、歯科用積重ね式リザーバおよび歯石除去システムを提供する。本発明は、電力制御ハウジングに容易に接続でき、その上に積重ね可能な少なくとも１つの容器を有するリザーバ・ハウジングを提供する。リザーバ・ハウジングの各容器の液体レベルは、透明なプラスチック（ポリマー）カバーを通して容易に目視検査される。カバーは、リザーバ・ハウジングの上でそのカバーの下端部を揺動させるべく、蝶番上で旋回し、容器の着脱のためにハウジングを開く。
本発明の目的は、歯科用超音波ハンドピースと、取付けケーブル・アセンブリと、制御ハウジングと、各々がハンドピース導管に接続された制御ハウジング導管に接続されたセレクタ弁に接続された、２つの容器を囲む流体リザーバ・ハウジングとを含む歯科用超音波歯治療システムを提供することである。
本発明の目的は、開位置と閉位置との間で旋回可能なカバーと、カバーが開位置にある時にカバーによって閉じられる連動弁とを有するリザーバ・ハウジングによって支持された、容易に取り外せるリザーバを含む流体ディスペンサを提供することである。
本発明の目的は、歯科用積重ね式リザーバおよび歯石除去システムを提供することである。
本発明の目的は、蝶番上で旋回して、リザーバ・ハウジングの上でカバーの下端部を揺動させ、本発明によって提供されるような容器の着脱のためにハウジングを開く透明プラスチック・カバーを備えているリザーバ・ハウジングを有する歯科用歯石除去システムを提供することである。
本発明の目的は、セレクタ弁を通して２つのリザーバ液体容器のいずれか一方から、または給水源から配量するために、空気圧源に流体連通状態で接続された自給式３位置セレクタ弁を有する積重ね可能なリザーバ・ハウジングを提供することである。本発明の好ましい実施例では、容器のいずれか１つからの流体のみがハンドピースに送られ、システムは外部の給水源に接続されない。こうすることにより、システムは清浄な水を配量することができる。システムは、外部給水源に接続することもでき、これも歯石除去システムに配量することができる。
米国特許第５，４１９，７０３号でWarrinらは、歯肉下の歯石除去および洗浄の方法を開示している。Warrinらに開示されている装置は、ベース・ユニット内に薬剤を保存するリザーバを含む。
本発明は、従来技術の歯科用流体配量システムの問題を解決する。
【図面の簡単な説明】
図１は、本発明による歯石除去器ハウジングの上に積み重ねられた積重ね可能なリザーバ・ハウジングの右側の側面図である。
図１Ａは、図１で示す歯石除去器ハウジングの上に積み重ねられた積重ね可能なリザーバ・ハウジングの左側の側面図である。
図１Ｂは、図１および図１Ａで示す歯石除去器ハウジングの上に積み重ねられた積重ね可能なリザーバ・ハウジングの背面図である。
図１Ｃは、蓋を部分的に切り取った図１〜図９で示す本発明による積重ね可能なリザーバ・ハウジングの側面図である。
図２は、図１〜図９で示す積重ね可能なリザーバ・ハウジングの正面図である。
図３は、図１〜図９で示す積重ね可能なリザーバ・ハウジングの背面図である。
図４は、図１〜図９で示す積重ね可能なリザーバ・ハウジングの平面図である。
図５は、図１〜図９で示す積重ね可能なリザーバ・ハウジングの底面図である。
図６は、蓋が開位置にある、図１〜図９で示す積重ね可能なリザーバ・ハウジングの側面図である。
図７は、蓋が開位置にある、図１〜図９で示す積重ね可能なリザーバ・ハウジングの平面図である。
図７Ａは、蓋が開位置にあり、蓋を部分的に切り取った、図１〜図９で示す積重ね可能なリザーバ・ハウジングの平面図である。
図８は、蓋が開位置にある、図１〜図９で示す積重ね可能なリザーバ・ハウジングの正面図である。
図９は、蓋が開位置にある、図１〜図９で示す積重ね可能なリザーバ・ハウジングの背面図である。
図１０は、図１０〜図１３で示す、本発明による歯石除去器ハウジングの平面図である。
図１１は、図１０〜図１３で示す歯石除去器ハウジングの正面図である。
図１２は、図１０〜図１３で示す歯石除去器ハウジングの側面図である。
図１３は、図１０〜図１３で示す歯石除去器ハウジングの底面図である。
図１４は、図１、図１Ａおよび図１Ｂで示した歯科用積重ね式リザーバおよび歯石除去システムの概略図である。
図１４Ａ、図１４Ｂおよび図１４Ｃは、３つの異なる位置にある空気圧／ガス抜き分配弁（セレクタ弁）の概略図である。
図１５は、図１５〜図１８で示す空気研磨ハウジングの平面図である。
図１６は、図１５〜図１８で示す空気研磨ハウジングの正面図である。
図１７は、図１５〜図１８で示す空気研磨ハウジングの側面図である。
図１８は、図１５〜図１８で示す空気研磨ハウジングの底面図である。
図１９は、図１５〜図１８で示す空気研磨システムとともに使用する、図１Ｃおよび図２〜図９で示す歯科用積重ね式リザーバの概略図である。
図２０は、容器のキャップを示す、リザーバ・ハウジングの部分断面平面図の概略図である。
発明の詳細な説明
（発明の概要）
歯科用超音波ハンドピース、流体リザーバ・ハウジングおよび電力制御ハウジングを含む歯科用超音波歯治療システム。リザーバ・ハウジングは、制御ハウジングによって支持されている。リザーバ・ハウジングは、空気加圧およびガス抜き分配セレクタ弁に接続された入力通路を有する２つの容器を囲んでいる。容器は、電磁弁および流量制御装置を介してハンドピースに接続された制御ハウジング導管に接続された出力通路を有している。制御ハウジングは、ハンドピースに接続された電力発生（および／または制御）回路を囲んでいる。本発明の好ましい実施例では、流体ディスペンサは、旋回可能なカバーと、カバーで起動する流体（加圧空気）連動流体制御弁とを有するリザーバ・ハウジングによって支持された、容易に取り外せるリザーバを含んでいる。カバーは、開位置と閉位置との間で旋回可能である。カバーで作動させられる連動弁は、カバーが開位置にある時に、カバーによって閉じられる。カバーで作動させられる連動弁は、カバーが閉位置にある時に、開位置にある。
流体ディスペンサは、ハウジング流体流れコネクタ（または継手）、旋回可能なカバー、および空気圧でガス抜きする分配流体セレクタ制御弁を有するリザーバ・ハウジングによって支持された、本発明の容易に取り外せる容器を含んでいる。容器は、流体および空気流れコネクタ（または口）を備えたキャップを有している。ハウジング・コネクタ（または継手）は、キャップ・コネクタ（または口）に接続される。空気圧は、１つの継手を通ってリザーバに供給され、流体は同じリザーバから別の継手を通って出る。継手上のシールは、リザーバを外すと、液体継手のシールより先に空気供給継手のシールが外れ、それにより、リザーバから空気圧をさらにガス抜きし、リザーバが外れている間の漏れを防止するよう配置されている。カバーは、開位置と閉位置との間で旋回可能である。連動弁は、カバーが開位置にある時にカバーによって閉じられ、それにより、リザーバの圧力を抜き、同時に空気圧がリザーバに入るのを防止する。弁は、カバーが閉位置にある時に開いている。閉位置にあるカバーは、キャップ・コネクタがハウジング・コネクタから外れるのに十分なほどキャップが移動するのを防止する。
カバーが回転する中心の旋回位置は、容器のキャップとカバーとの間の接点の下にある。いずれかの容器が加圧されると、カバーに対する容器のキャップの力により、カバーは強制的に閉位置にされる。
（実施例）
次に、本発明を特に図１〜図１９に関連して説明する。図１および図１４で示すように、歯科用積重ね式リザーバおよび歯石除去器システム１０は、リザーバ・ハウジング１２および歯石除去器ハウジング１４およびハンドピース１６を含むことが分かる。歯石除去器ハウジング１４は、流体移送導管１８を通して遮断弁を有する継手２０に接続される。継手２０は、遮断弁を有する継手２２に、流体型接続状態で挿入される。継手２２は、流体移送導管２３を導管１８に接続する。導管１８は、継手２０Ａおよび２０Ｂにより、電磁弁および流量制御装置を通して導管２４に接続されており、流体を超音波ハンドピース１６に移送する。
自動遮断弁を備えている継手２６が、給水源に接続されるようになっており、この給水源は、少なくとも１０ｐｓｉｇの圧力を有することが好ましい。給水源は、少なくとも２０ｐｓｉｇの圧力を有することが好ましい。給水源は、約６０ｐｓｉｇの圧力を有することが、より好ましい。水は、給水源から継手および遮断弁２６を通り、導管２８を通って空気パイロット弁３０に移送される。水は、空気パイロット弁３０から導管３２を通って導管２３および導管１８に入り、電磁弁および流量制御装置を通って導管２４およびハンドピース１６へと移送される。導管３４および３６は、それぞれ逆止め弁３８および４０を有し、それぞれリザーバ容器４２および４４に接続されている。容器４２および４４は、それぞれキャップ４１および４３を有している。導管３２は、逆止め弁８７を有し、空気パイロット弁３０に接続されている。
リザーバ容器４２および４４は、それぞれ導管４６および４８を通ってガス抜き分配セレクタ弁５０に接続されている。自動遮断弁を有する継手５２は、加圧空気の給気源に接続され、この給気源は、約１００ｐｓｉｇの空気圧を有するよう好適に調整されている。継手５２は、導管５４を通して圧力調整器５６に接続されている。圧力調整器５６は、導管５８を通して連動弁６０に接続されている。弁６０は、弁６０を開くために押さなければならないボタン６２を有している。ボタン６２を押すと、空気が弁６０を通って導管６４を通り、セレクタ弁５０ヘ移送される。自動遮断弁を有する継手６６が、導管６８に接続されている。導管６８は、導管５４に接続されている。継手６６は、加圧空気への接続を提供して他の装置を操作する。
電力制御装置（または発電機）７０が、電気導体７４を通して電源７２へ、および電力制御装置７０へ接続されている。電力制御装置（または発電機）７０は、電気導体７６を通してハンドピース１６に接続されている。
足部８０、８０Ａ、８２および８２Ａが、リザーバ・ハウジング１２の底壁８０Ｂに接続されている。足部８０、８０Ａ、８２および８２Ａは、歯石除去器ハウジング１４の上面にある溝８４および８６内に支持される。足部８０および８２は、リザーバ・ハウジング１２の底部に接続されている。
リザーバ・ハウジング１２は、蝶番１０４および１０４Ａの周囲で旋回することによって開くカバー１０２を有している。ノブ１０６は、セレクタ弁軸１０６Ａによって弁５０に接続されている。ノブ１０６を一方側に回転すると、弁５０は、流体を一方のリザーバから導管１８を通して移送するような位置になる。ノブ１０６を中心から他方の方向へ回転すると、弁５０は、それぞれのリザーバ室の加圧により、流体を他方のリザーバから導管１８を通して移送するような位置になる。ノブ１０６を中心位置まで回転すると、空気パイロット弁から空気が抜け、空気パイロット弁が開き、これにより、外部の水が導管１８を通る。
足部８０および８０Ａは、歯石除去器ハウジング１４の溝１６０上に支持される。足部８２および８２Ａは、歯石除去器ハウジング１４の上面にある溝１６４内で支持される。溝１６０および１６４は、足部８０、８０Ａ、８２および８２Ａが溝の中心軸に対して垂直な前後の方向に滑るのを防止する。溝１６２も、歯石除去器ハウジング１４の上面に設けられている。溝１６０、１６２および１６４は、リザーバ・ハウジング１２が歯石除去器ハウジング１４上に積み重ねられていない時に、ハンドピース１６を配置するようにもなっている。ホルダー１７０が、ハンドピース１６を保持するようになっている。ホルダー１７０は、歯石除去器ハウジング１４に接続されている。ノブ１５８は、弁軸１５８Ａによって流体流量制御弁１５８Ｂに接続されている。ノブ１５６は電気導体１５６Ａによって電力制御装置７０に接続されている。
蓋１０２が閉位置にあると、キャップ４１および４３は、図１Ａおよび図７Ａで示すように、蓋１０２により、隣接する流体コネクタ４２Ａおよび４４Ａ上に保持される。
歯石除去器ハウジング１４は、足部１８０、１８０Ａ、１８２および１８２Ａによって支持される。
歯石除去器ハウジング１４の底壁にあるガス抜き１９８、２００、２０２、２０４および２０６は、対流による冷却を可能にする。
流体導管２４および電気導体７６は、可撓性プラスチック導管７６Ａによって囲まれている。
導管２０は、一端がコネクタ２２に、他端がコネクタ１９２に接続されている。
フートスイッチ１７０Ａが、電流導体１７０Ｂによって電力制御装置７０に接続されている。
図１４、１４Ａ、１４Ｂおよび１４Ｃで示すように、弁５０は、ノブ１０６を回転することによって３つの異なる位置に回転される。図１４Ａで示すように、弁５０を図示の位置に回転することにより、管路６４を通って弁５０に入る空気は、弁５０を出て管路４６を通り容器４２を加圧し、流体が容器４２から管路３４を通って流れるようにする。図１４Ｂで示すように、弁５０を図示の位置に配置することにより、空気は、管路６４を通って弁５０に入り、管路４８を通って弁５０を出る。管路４８内の空気は、容器４４を加圧し、流体が容器４４から管路３６を通って流れるようにする。図１４Ｃで示すように、弁５０を図示のように配置することにより、容器４２も容器４４も加圧されず、弁５０のこの位置では、流体はどちらの容器からも流れない。図１４Ｃで示す弁５０の位置で、空気圧は弁３０に供給されず、既存の空気圧は、ガス抜きによって低下し、空気パイロット弁３０を開き、図１４で示すように、流体が管路２８を通って管路３２に流れることができるようにする。
特に図１５〜図１９に関し、空気研磨ハウジング３１４が研磨ハンドピース３１６に接続されることが、わかる。空気研磨ベース・ハウジング３１４は、その上面に溝３６０および３６４を有する。リザーバ・ハウジングの足部８０および８２は、リザーバ・ベース・ハウジング３１４が空気研磨ハウジング上に積み重ねられていると、空気研磨ハウジングの上面の溝３６０および３６４内に配置される。外部容器３９０は、容器キャップ３９０Ａを有している。粉末容器３９０は、導管３９４を通して継手６６に接続され、粉末容器３９０内に空気圧が供給される。粉末容器３９０からの粉末は、加圧されて導管３９２を通り、ハンドピース３１６に移送される。流体は、管路１８を通って空気研磨ベース・ハウジング３１４に移送される。流体は、導管３２４を通って空気研磨ベース・ハウジング３１４からハンドピース３１６に移送される。ハンドピース３１６には、外側の同心円の口から液体を噴霧し、内側の円形の口から粉末を噴霧する混合チップ３１６Ａが設けられている。したがって、これは粉末の円形の流れの周囲に液体の環を供給し、これは歯の表面を研磨する前に噴霧中で混合する。導管３９２および３２４は可撓性プラスチック・カバー３７６Ａで囲まれている。研磨ベースは、足部３８０、３８２、３８０Ａおよび３８２Ａによって支持される。空気研磨ベース・ハウジング３１４の下面は、ガス抜き３９８、４００、４０２、４０４および４０６を有している。ハンドピース３１６は、ホルダー３７０で支持されるようになっている。ノブ３５６および３５８は、可変電力制御装置および流体流量制御弁にそれぞれ接続されている。ノブ３５８は弁軸３５８Ａによって流体流量制御弁３５８Ｂに接続されている。
ハウジング１２からリザーバ・キャップ４１を外すと、Ｏリング５００が密封を解除して容器４２内の残留空気圧を逃がし、キャップをさらに外側に動かすと、Ｏリング５０１が外れ、ガス抜きが大気圧に晒され、これにより、継手の通路に残っている流体が全て容器４２中に戻り、キャップ４１および容器４２をＯリング５０１を通してハウジング１２から最終的に引き抜く間、こぼれるのが防止される。コネクタ（または継手）５０４および５０５は、コネクタ（または継手）５０６および５０８とそれぞれ流体連通状態で接続されている。コネクタ５０６は、導管４６に流体連通状態で接続されている。コネクタ５０８は、導管３４に流体連通状態で接続されている。
以下の請求の範囲に記載の本発明の範囲から逸脱することなく、本発明の実施および使用時に様々な変更および変形がなされ得るということは、当業者には明らかであろう。
【図１】
0003999272.tif 000002
【図１Ａ】
0003999272.tif 000003
【図１Ｂ】
0003999272.tif 000004
【図１Ｃ】
0003999272.tif 000005
【図２】
0003999272.tif 000006
【図３】
0003999272.tif 000007
【図４】
0003999272.tif 000008
【図５】
0003999272.tif 000009
【図６】
0003999272.tif 000010
【図７】
0003999272.tif 000011
【図７Ａ】
0003999272.tif 000012
【図８】
0003999272.tif 000013
【図９】
0003999272.tif 000014
【図１０】
0003999272.tif 000015
【図１１】
0003999272.tif 000016
【図１２】
0003999272.tif 000017
【図１３】
0003999272.tif 000018
【図１４】
0003999272.tif 000019
【図１４Ａ】
0003999272.tif 000020
【図１４Ｂ】
0003999272.tif 000021
【図１４Ｃ】
0003999272.tif 000022
【図１５】
0003999272.tif 000023
【図１６】
0003999272.tif 000024
【図１７】
0003999272.tif 000025
【図１８】
0003999272.tif 000026
【図１９】
0003999272.tif 000027
【図２０】
0003999272.tif 000028